【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
複数のページを含む電子アルバムを表示装置に表示する画像処理装置であって、
前記電子アルバムのページをめくるための指示を受け付ける受付手段と、
前記受付手段により受け付けられた指示に基づいて、前記表示装置に現在表示されている見開きページ、又は前記表示装置に次に表示される見開きページが、前記電子アルバムの表紙及び裏表紙の見開きページを含むか否かを判別する判別手段と、
前記判別手段により、前記現在表示されている見開きページ、又は前記次に表示される見開きページが、前記電子アルバムの表紙及び裏表紙の見開きページを含むと判別された場合と、そうでない場合とで、異なる態様でページをめくる動作の様子を前記表示装置に表示する表示手段とを有することを特徴とする画像処理装置。
【請求項２】
前記表示手段は、前記現在表示されている見開きページ、又は前記次に表示される見開きページが、前記電子アルバムの表紙及び裏表紙の見開きページを含まないと判別された場合には、めくるページと、そのめくるページの前又は後のページとのうちの何れか一方のページの色を、その他のページの色と異ならせて、前記ページをめくる動作の様子を前記表示装置に表示することを特徴とする請求項１に記載の画像処理装置。
【請求項３】
前記電子アルバムのページをめくる動作は複数の段階に分けて実行され、
前記表示手段は、前記めくるページのめくりの動作の段階に応じて、前記めくるページの横方向を異なる倍率で縮小させることを特徴とする請求項２に記載の画像処理装置。
【請求項４】
前記電子アルバムのページをめくる動作は複数の段階に分けて実行され、
前記表示手段は、前記めくるページと、そのめくるページの前又は後のページとのうちの何れか一方のページの色の濃さを、前記めくるページのめくりの動作の段階に応じて異ならせることを特徴とする請求項２又は３に記載の画像処理装置。
【請求項５】
前記表示手段は、前記めくるページのうち、現在表示されているページを表示する場合には、前記めくるページの色をその他のページの色と異ならせ、前記めくるページのうち、次に表示されるページを表示する場合には、前記めくるページの前又は後のページの色をその他のページの色と異ならせることを特徴とする請求項２〜４の何れか１項に記載の画像処理装置。
【請求項６】
前記表示手段は、前記現在表示されている見開きページ、又は前記次に表示される見開きページが、前記電子アルバムの表紙及び裏表紙の見開きページを含むと判別された場合には、前記現在表示されている見開きページを、その両端から中央に向けて段階的に縮小して表示し、前記現在表示されている見開きページを予め定められた倍率まで縮小したら、前記次に表示される見開きページを、前記中央から前記両端に向けて段階的に拡大して表示することを特徴とする請求項１〜５の何れか１項に記載の画像処理装置。
【請求項７】
前記次に表示される見開きページは、前記電子アルバムの表紙及び裏表紙の見開きページの裏側にある見開きページであることを特徴とする請求項６に記載の画像処理装置。
【請求項８】
前記表示手段は、前記電子アルバムの見開きページの周囲に、前記電子アルバムの厚みを表現するための飾り枠を表示することを特徴とする請求項１〜７の何れか１項に記載の画像処理装置。
【請求項９】
前記表示手段は、前記電子アルバムの表紙及び裏表紙の見開きページと、前記電子アルバムのその他の見開きページとで、見開きページの周囲の前記電子アルバムに含まれるページ数を表現するための異なる飾り枠を切り替えて表示することを特徴とする請求項１〜８の何れか１項に記載の画像処理装置。
【請求項１０】
複数のページを含む電子アルバムを表示装置に表示する画像処理装置の制御方法であって、
前記電子アルバムのページをめくるための指示を受け付ける受け付けステップと、
前記受け付けステップにより受け付けられた指示に基づいて、前記表示装置に現在表示されている見開きページ、又は前記表示装置に次に表示される見開きページが、前記電子アルバムの表紙及び裏表紙の見開きページを含むか否かを判別する判別ステップと、
前記判別ステップにより、前記現在表示されている見開きページ、又は前記次に表示される見開きページが、前記電子アルバムの表紙及び裏表紙の見開きページを含むと判別された場合と、そうでない場合とで、異なる態様でページをめくる動作の様子を前記表示装置に表示する表示ステップとを有することを特徴とする画像処理装置の制御方法。
【請求項１１】
複数のページを含む電子アルバムを表示装置に表示することをコンピュータに実行させるためのコンピュータプログラムであって、
前記電子アルバムのページをめくるための指示を受け付ける受け付けステップと、
前記受け付けステップにより受け付けられた指示に基づいて、前記表示装置に現在表示されている見開きページ、又は前記表示装置に次に表示される見開きページが、前記電子アルバムの表紙及び裏表紙の見開きページを含むか否かを判別する判別ステップと、
前記判別ステップにより、前記現在表示されている見開きページ、又は前記次に表示される見開きページが、前記電子アルバムの表紙及び裏表紙の見開きページを含むと判別された場合と、そうでない場合とで、異なる態様でページをめくる動作の様子を前記表示装置に表示する表示ステップとをコンピュータに実行させることを特徴とするコンピュータプログラム。
【手続補正２】
【補正対象書類名】明細書
【補正対象項目名】発明の名称
【補正方法】変更
【補正の内容】
【発明の名称】画像処理装置、画像処理装置の制御方法、及びコンピュータプログラム
【手続補正３】
【補正対象書類名】明細書
【補正対象項目名】０００１
【補正方法】変更
【補正の内容】
【０００１】
本発明は、画像処理装置、画像処理装置の制御方法、及びコンピュータプログラムに関し、特に、複数ページに画像情報を配置した電子アルバムをディスプレイで本の態様で表示するために用いて好適なものである。
【手続補正４】
【補正対象書類名】明細書
【補正対象項目名】０００７
【補正方法】変更
【補正の内容】
【０００７】
本発明の画像処理装置は、複数のページを含む電子アルバムを表示装置に表示する画像処理装置であって、前記電子アルバムのページをめくるための指示を受け付ける受付手段と、前記受付手段により受け付けられた指示に基づいて、前記表示装置に現在表示されている見開きページ、又は前記表示装置に次に表示される見開きページが、前記電子アルバムの表紙及び裏表紙の見開きページを含むか否かを判別する判別手段と、前記判別手段により、前記現在表示されている見開きページ、又は前記次に表示される見開きページが、前記電子アルバムの表紙及び裏表紙の見開きページを含むと判別された場合と、そうでない場合とで、異なる態様でページをめくる動作の様子を前記表示装置に表示する表示手段とを有することを特徴とする。
【手続補正５】
【補正対象書類名】明細書
【補正対象項目名】０００８
【補正方法】変更
【補正の内容】
【０００８】
本発明の画像処理装置の制御方法は、複数のページを含む電子アルバムを表示装置に表示する画像処理装置の制御方法であって、前記電子アルバムのページをめくるための指示を受け付ける受け付けステップと、前記受け付けステップにより受け付けられた指示に基づいて、前記表示装置に現在表示されている見開きページ、又は前記表示装置に次に表示される見開きページが、前記電子アルバムの表紙及び裏表紙の見開きページを含むか否かを判別する判別ステップと、前記判別ステップにより、前記現在表示されている見開きページ、又は前記次に表示される見開きページが、前記電子アルバムの表紙及び裏表紙の見開きページを含むと判別された場合と、そうでない場合とで、異なる態様でページをめくる動作の様子を前記表示装置に表示する表示ステップとを有することを特徴とする。
【手続補正６】
【補正対象書類名】明細書
【補正対象項目名】０００９
【補正方法】変更
【補正の内容】
【０００９】
本発明のコンピュータプログラムは、複数のページを含む電子アルバムを表示装置に表示することをコンピュータに実行させるためのコンピュータプログラムであって、前記電子アルバムのページをめくるための指示を受け付ける受け付けステップと、前記受け付けステップにより受け付けられた指示に基づいて、前記表示装置に現在表示されている見開きページ、又は前記表示装置に次に表示される見開きページが、前記電子アルバムの表紙及び裏表紙の見開きページを含むか否かを判別する判別ステップと、前記判別ステップにより、前記現在表示されている見開きページ、又は前記次に表示される見開きページが、前記電子アルバムの表紙及び裏表紙の見開きページを含むと判別された場合と、そうでない場合とで、異なる態様でページをめくる動作の様子を前記表示装置に表示する表示ステップとをコンピュータに実行させることを特徴とする。
【手続補正７】
【補正対象書類名】明細書
【補正対象項目名】００１０
【補正方法】変更
【補正の内容】
【００１０】
本発明によれば、コンピュータ上で編集される電子アルバムを本の態様で表示するに際し、ページをめくる様子を、現在表示されている見開きページ、又は次に表示される見開きページが、電子アルバムの表紙及び裏表紙の見開きページを含む場合と、そうでない場合とで、異なる態様で表示するようにしたので、本文と、表紙及び裏表紙とを可及的に明確に区別して、本のページがめくられている様子を表示することができる。これにより、めくられているページやその前後のページの様子を区別して可及的に分かりやすく表示することができる。